(57)【要約】【課題】多数の発光ダイオードを同時に検査しながら、何れかの発光ダイオードの障害が他の発光ダイオードに誘発されるのを抑制して検査できる装置を提供する【解決手段】発光ダイオードの検査装置は、複数の発光ダイオード１が直列に接続されたダイオード負荷１０に一定の電流を流す発光ダイオードの検査装置であって、ダイオード負荷１０に接続してなる電源回路２０と、ダイオード負荷１０と直列に接続してなるピーク電流制限回路３０を備える。また、ピーク電流制限回路３０は、ダイオード負荷１０と直流に接続してなる電流検出器３１と、電流検出器３１の検出電圧でダイオード負荷１０の電流を制御する電流調整回路３２とを備える。さらに、電流検出器３２は、抵抗器４とコイル５との直列回路からなる。【選択図】図１
2020180943.tif 000002
【特許請求の範囲】
【請求項１】
複数の発光ダイオードが直列に接続されたダイオード負荷に一定の電流を流す発光ダイオードの検査装置であって、
前記ダイオード負荷に接続してなる電源回路と、
前記ダイオード負荷と直列に接続してなるピーク電流制限回路を備えており、
前記ピーク電流制限回路が、
前記ダイオード負荷と直流に接続してなる電流検出器と、
前記電流検出器の検出電圧で前記ダイオード負荷の電流を制御する電流調整回路とを備え、
前記電流検出器が、抵抗器とコイルとの直列回路からなることを特徴する発光ダイオードの検査装置。
【請求項２】
請求項１に記載する発光ダイオードの検査装置であって、
前記電流調整回路が、
前記ダイオード負荷及び前記電流検出器と直列に接続してなるトランジスタと、
前記トランジスタの入力側に接続してなるコンパレータと、
前記コンパレータの第１の入力端子に基準電圧を入力する基準電圧回路と、を備え、
前記電流検出器に誘導される検出電圧が前記コンパレータの第２の入力端子に入力され、
前記コンパレータの出力が前記トランジスタに入力されて、
前記トランジスタが前記ダイオード負荷の電流を制御するようにしてなる発光ダイオードの検査装置。
【請求項３】
請求項２に記載する発光ダイオードの検査装置であって、
前記トランジスタがＦＥＴであることを特徴とする発光ダイオードの検査装置。
【請求項４】
請求項２または３に記載する発光ダイオードの検査装置であって、
前記基準電圧回路が、基準電圧を変更できる回路であることを特徴とする発光ダイオードの検査装置。
【請求項５】
請求項２ないし４のいずれかに記載する発光ダイオードの検査装置であって、
前記電流検出器に誘導される電圧を増幅するサブアンプを備え、
前記サブアンプの出力電圧が前記コンパレータの入力端子に入力されてなることを特徴とする発光ダイオードの検査装置。
【請求項６】
請求項２ないし５のいずれかに記載する発光ダイオードの検査装置であって、
前記コンパレータの出力側と前記トランジスタの入力側との間に、前記コンパレータの出力インピーダンスを低下して出力するバッファーアンプを接続してなることを特徴とする発光ダイオードの検査装置。
【請求項７】
請求項１ないし６のいずれかに記載する発光ダイオードの検査装置であって、
前記電源回路が定電流電源であることを特徴とする発光ダイオードの検査装置。
【請求項８】
請求項１ないし７のいずれかに記載する発光ダイオードの検査装置であって、
前記電流検出器がインダクタンスのある巻き線抵抗器であることを特徴とする発光ダイオードの検査装置。
【請求項９】
請求項１ないし８のいずれかに記載する発光ダイオードの検査装置であって、
前記ダイオード負荷が、複数のレーザーダイオードの直列回路であることを特徴とする発光ダイオードの検査装置。
【発明の詳細な説明】
【技術分野】
【０００１】
本開示は、複数の発光ダイオードを直列に接続し、発光ダイオードに定電流を流して検査する装置に関する。
【背景技術】
【０００２】
発光ダイオードは、特許文献１に記載されるように、電圧−電流特性がリニアに変化しないので、定電流電源に接続し、一定の電流を流して検査される。また、発光ダイオードは、複数個を直列に接続して、定電流を流すことで同時に多数の発光ダイオードを能率よく検査できる。さらに、特許文献２に記載されるように、複数の発光ダイオードを直列に接続している回路構成においても、定電流を流して検査できる。
【先行技術文献】
【特許文献】
【０００３】
【特許文献１】特開平７−２３５６９５号公報
【特許文献２】特開昭５８−１９４３８３号公報
【発明の概要】
【発明が解決しようとする課題】
【０００４】
複数の発光ダイオードを直列に接続する状態で検査する装置は、定電流電源に接続して各々の発光ダイオードを同時に検査できる。この検査装置は、多数の発光ダイオードを直列に接続して能率よく検査できる。また、複数の発光ダイオードを直列に接続している回路構成においても、全ての発光ダイオードの検査を同時にできる。この検査装置が直列に接続している複数の発光ダイオードに定電流を流して検査する状態で、何れかの発光ダイオードが短絡すると、瞬時的に電流が増加して、正常な発光ダイオードに過電流による弊害を与える。短絡した発光ダイオードの電気抵抗が小さくなって、発光ダイオード直列回路の電気抵抗が小さくなるからである。定電流電源は、電流の増加を検出して電流を一定の電流に制御するが、電流の増加を検出して一定の電流に制御するまでに時間遅れがある。時間遅れは、瞬時的にピーク電流を流す原因となり、ピーク電流が正常な発光ダイオードに過電流による障害を与える。
【０００５】
本開示は、以上の弊害を防止することを目的として開発されたもので、本開示の大切な目的は、多数の発光ダイオードを同時に検査しながら、何れかの発光ダイオードの障害が他の発光ダイオードに誘発されるのを抑制して検査できる装置を提供することにある。
【課題を解決するための手段】
【０００６】
本開示の発光ダイオードの検査装置は、複数の発光ダイオードが直列に接続されたダイオード負荷に一定の電流を流す発光ダイオードの検査装置であって、ダイオード負荷に接続してなる電源回路と、ダイオード負荷と直列に接続してなるピーク電流制限回路を備える。また、ピーク電流制限回路が、ダイオード負荷と直流に接続してなる電流検出器と、電流検出器の検出電圧でダイオード負荷の電流を制御する電流調整回路とを備える。さらに、電流検出器が、抵抗器とコイルとの直列回路からなる。
【発明の効果】
【０００７】
本開示によると、多数の発光ダイオードを同時に検査しながら、何れかの発光ダイオードの障害が他の発光ダイオードに誘発されるのを抑制して検査できる装置を提供できる。
【図面の簡単な説明】
【０００８】
【図１】実施形態にかかる発光ダイオードの検査装置のブロック図である。
【図２】ピーク電流制限回路を設けない検査装置の電流波形を示す図である。
【図３】実施形態にかかるピーク電流制限回路が設けられた検査装置の電流波形を示す図である。
【図４】他の実施形態に係る発光ダイオードの検査装置のブロック図である。
【図５】他の実施形態に係る発光ダイオードの検査装置のブロック図である。
【発明を実施するための形態】
【０００９】
以下、図面に基づいて本開示を詳細に説明する。なお、以下の説明では、必要に応じて特定の方向や位置を示す用語（例えば、「上」、「下」、及びそれらの用語を含む別の用語）を用いるが、それらの用語の使用は図面を参照した発明の理解を容易にするためであって、それらの用語の意味によって本発明の技術的範囲が制限されるものではない。また、複数の図面に表れる同一符号の部分は同一もしくは同等の部分又は部材を示す。
さらに以下に示す実施形態は、本発明の技術思想を具体例を示すものであって、本開示を以下に限定するものではない。また、以下に記載されている構成部品の寸法、材質、形状、その相対的配置等は、特定的な記載がない限り、本発明の範囲をそれのみに限定する趣旨ではなく、例示することを意図したものである。また、一の実施の形態、実施例において説明する内容は、他の実施の形態、実施例にも適用可能である。また、図面が示す部材の大きさや位置関係等は、説明を明確にするため、誇張していることがある。
【００１０】
（発光ダイオードの検査装置）
図１は、本実施形態にかかる発光ダイオードの検査装置１００のブロック図である。発光ダイオード１は、複数個を直列に接続してダイオード負荷１０とし、このダイオード負荷１０を定電流電源２に接続して、一定の時間、予め設定している定格電流を流して検査される。ダイオード負荷１０は、複数の発光ダイオード１を直列に接続して回路基板に実装しているダイオードアレイ、あるいは複数個の発光ダイオード１を脱着できるように電気接続したものが使用される。検査装置１００は、直列に接続する発光ダイオード１の個数を多くして、一度に多数の発光ダイオード１を検査できる。複数の発光ダイオード１を直列に接続して検査しているタイミングで、何れかの発光ダイオード１が内部ショートすると、ダイオード負荷１０の電気抵抗が低下するので、ダイオード負荷１０の電流が増加する。定電流電源２は、電流の増加を検出して設定値に制御するが、増加した電流を設定値に制御するまでに時間遅れがある。応答時間の遅れは、故障しない発光ダイオード１に過大な電流を流して電流による障害を与える弊害がある。とくに、レーザーダイオードは、検査する電流が大きく、過電流で故障しやすい障害がある。
【００１１】
ところで、定電流電源２は、出力側に直列に半導体スイッチング素子を直列に接続し、この半導体スイッチング素子の内部抵抗を調整して、半導体スイッチング素子の電圧降下値をコントロールして出力電流を制御するアナログ方式と、ＤＣ／ＤＣコンバータで出力電流を制御するスイッチング方式とがある。スイッチング方式は、半導体スイッチング素子をオンオフに切り換えるデューティーで定電流特性を実現して高い電力効率を実現できる。ただ、スイッチング方式は、出力電圧のリップルを少なくして綺麗な直流とするために、出力側に大きな静電容量の電解コンデンサが接続されるが、この電解コンデンサは、出力電流を一定値にコントロールする応答速度を相当に遅くする原因となる。電解コンデンサの放電と充電の時間遅れが、出力電流の応答時間を遅らせるからである。高い電力効率のスイッチング方式の定電流電源は、多数の発光ダイオードの検査を少ない消費電力で実現できるが応答時間の遅れが、故障しない発光ダイオードに過電流による損傷を与える弊害がある。アナログ方式の定電流電源は、排出側の電解コンデンサを省略して、半導体スイッチング素子の電圧降下で出力電流を制御して、スイッチング方式よりも応答時間を速くできるが、半導体スイッチング素子の内部抵抗の変化の時間遅れが、応答時間の遅れとなるので、故障しない発光ダイオードの過電流による障害を防止できない。
【００１２】
１．実施形態１
（検査装置）
本実施形態の発光ダイオードの検査装置１００の回路図を図１に示す。
検査装置１００は、複数の発光ダイオード１を直列に接続しているダイオード負荷１０に電流を流す電源回路２０と、ダイオード負荷１０と直列に接続しているピーク電流制限回路３０とを備える。また、ピーク電流制限回路３０は、ダイオード負荷１０と直列に接続している電流検出器３１と、電流検出器３１の両端に出力される検出電圧でダイオード負荷１０の電流を制御する電流調整回路３２とを備える。電流検出器３１は、抵抗器４とコイル５との直列回路である。
【００１３】
（電源回路）
電源回路２０は、ダイオード負荷１０に予め制御している電流を流す定電流電源２を備える。電源回路２０は、好ましくは定電圧定電流電源を使用する。定電圧定電流電源は、出力電圧を設定値以下に設定しながら、ダイオード負荷１０の電流を設定値に制御する。定電流電源２は、好ましくは、ダイオード負荷１０に流す電流値を変更する回路を備えている。電流値を変更できる定電流電源２は、ダイオード負荷１０に流す電流値、すなわち出力電流を、例えば１Ａ〜１０Ａの範囲で変更して、発光ダイオード１に最適な電流を流して検査する。定電流電源２は、ＤＣ／ＤＣコンバータの出力電圧とスイッチング方式又はアナログ方式である。スイッチング方式の定電流電源２は、電力効率を高くしながら、軽量化できる特徴がある。軽量化は、重い電源トランスを省略することで実現できる。この定電流電源２は、オンオフに切り換える半導体スイッチング素子のデューティーで、出力電流を設定値に制御するので、設定電流を大幅に変更でき、しかも発熱量も少なくできる特徴がある。アナログ方式の定電流電源２は、電解コンデンサの出力側に、内部抵抗を変更する半導体スイッチング素子を接続することで、出力電流の応答時間の遅れを少なくできる。
【００１４】
（ピーク電流制限回路）
ピーク電流制限回路３０の電流調整回路３２は、何れかの発光ダイオード１が内部ショートして、ダイオード負荷１０の電流が瞬時的に増加するのを制限して、発光ダイオード１の過電流による弊害を防止する。電源回路２０を定電流電源２とする検査装置１００は、ピーク電流制限回路３０の設定電流を、電源回路２０の定電流電源２と同じ設定電流とし、あるいはほぼ同じ設定電流とする。この検査装置１００は、定電流電源２からダイオード負荷１０に設定された一定の電流を供給し、何れかの発光ダイオード１が内部ショートとして、定電流電源２の応答時間の遅れが原因で、ダイオード負荷１０にピーク電流が流れると、このピーク電流をピーク電流制限回路３０が抑制する。
【００１５】
図２の電流特性は、ピーク電流制限回路３０を設けない検査装置の電流波形を示している。この図は、複数（たとえば２０個）の発光ダイオード１を直列にして、特定の発光ダイオード１の両端を短絡して、ダイオード負荷１０に流れる電流が変化する状態を示している。特定の発光ダイオード１が短絡すると、ダイオード負荷１０の電気抵抗が減少してピーク電流が流れる。図２の電流特性において、ピーク電流の時間幅、すなわちピーク電流が減衰するまでの時間幅は約２０ｍｓｅｃ近くになる。ピーク電流が流れる時間は、定電流電源２の応答時間の遅れによって変化するが、発光ダイオード１は過電流の障害を受ける。
【００１６】
ピーク電流制限回路３０は、ピーク電流を抑制して過電流による発光ダイオード１の障害を抑制する。ピーク電流制限回路３０の電流調整回路３２は、電流検出器３１がピーク電流を検出するタイミングで内部抵抗を増加してピーク電流を抑制するトランジスタ３と、電流検出器３１がピーク電流を検出するタイミングでトランジスタ３の内部抵抗を大きくするコンパレータ３３を備えている。コンパレータ３３は、電流検出器３１から入力される検出電圧を基準電圧に比較して、電流検出器３１がピーク電流を検出して検出電圧が高くなるタイミングでトランジスタ３の内部抵抗を大きくする信号をトランジスタ３に出力する。
【００１７】
（電流検出器）
電流検出器３１は、抵抗器４とコイル５を直列に接続している。図１の電流検出器３１は、抵抗器４と直列にコイル５を接続している。この電流検出器３１は、抵抗器４の電気抵抗と、コイル５のインダクタンスを最適値に調整できる。ただ、電流検出器３１には、抵抗線を碍子などの絶縁材の表面にコイル状に巻き付けた巻き線抵抗器を使用することができる。巻き線抵抗器は、抵抗線の抵抗率と長さで電気抵抗を調整して、抵抗線の巻き回数でインダクタンスを調整する。巻き線抵抗器は、抵抗器とコイルとが一体構造であるが、等価回路において、抵抗器とコイルは直列に接続される。
【００１８】
抵抗器４は、流れる電流に比例して両端の電圧が高くなる。コイル５は、ピーク電流が流れて電流が急激に変化するタイミングで、電流検出器３１の検出電圧を高くして、ダイオード負荷１０のピーク電流を抑制する。コイル５は、ピーク電流が発生するタイミングで両端の誘導電圧を高くする。とくに、ピーク電流の立ち上がり時において検出電圧を高くする。ピーク電流がコイル５の両端に誘導する電圧（Ｅ）が、以下の式で示すように、コイル５のインダクタンス（Ｌ）に比例して大きくなるからである。
Ｅ＝Ｌ×ｄｉ／ｄｔ
【００１９】
ただし、以上の式において、ｄｉは電流の変化量、ｄｔは電流が変化する時間で、ｄｉ／ｄｔはピーク電流が単位時間に増加する割合を示している。ピーク電流は、立ち上がり時に急激に電流が増加するので、このタイミングでｄｉ／ｄｔが極めて大きくなって、誘導電圧が相当に高くなる。したがって、抵抗器４と直列にコイル５を接続している電流検出器３１は、ピーク電流が流れる瞬間、とくにピーク電流の立ち上がりタイミングにおいて、コイル５の両端の誘導電圧が高くなって、検出電圧が高くなる。瞬時的に大きくなった検出電圧は、コンパレータ３３の入力端子に入力される。
【００２０】
（電流調整回路）
電流調整回路３２は、電流検出器３１から入力される検出電圧でダイオード負荷１０に流れる電流を制御する。電流調整回路３２は、ダイオード負荷１０にピーク電流が流れて、電流検出器３１から入力される検出電圧が瞬時的に高くなると、電流を制限してピーク電流を抑制する。電流検出器３１は、ピーク電流の立ち上がり時に検出電圧を高くするので、電流調整回路３２は、検出電圧が高くなるタイミング、すなわちダイオード負荷１０にピーク電流が流れるタイミングで効果的に電流を抑制する。電流調整回路３２は、トランジスタ３の内部抵抗を大きくしてダイオード負荷１０のピーク電流を抑制する。したがって、ダイオード負荷１０と直列に接続しているトランジスタ３を備え、さらに電流検出器３１から入力される検出電圧でトランジスタ３の内部抵抗を制御するコンパレータ３３を備える。
【００２１】
（トランジスタ）
トランジスタ３は、好ましくはＦＥＴを使用する。とくに、優れた大電流特性のＭＯＳＦＥＴが適している。ＦＥＴは入力抵抗が大きく、オン抵抗が小さくて効率よく電流をコントロールできるからである。ただ、トランジスタ３はＦＥＴに限らず入力信号で内部抵抗をコントロールできる全てのトランジスタ、たとえばバイポーラトランジスタやＩＧＢＴ等も使用できる。ＦＥＴは入力電圧で内部抵抗がコントロールされる。ＦＥＴは、入力電圧を高くして内部抵抗を小さく、入力電圧を低下して内部抵抗を大きくできる。
【００２２】
（コンパレータ）
コンパレータ３３は、電流検出器３１から入力される検出電圧を基準電圧に比較して、トランジスタ３の内部抵抗をコントロールする。図１のコンパレータ３３は差動アンプ６を備えている。差動アンプ６は、出力側をトランジスタ３の入力側に接続して、出力電圧でトランジスタ３の内部抵抗をコントロールする。差動アンプ６は、第１の入力端子６Ａには基準電圧を入力する基準電圧回路３４を接続して、第２の入力端子６Ｂには電流検出器３１の検出電圧を入力している。差動アンプ６は、第１の入力端子６Ａと第２の入力端子６Ｂの差電圧を増幅し、あるいは増幅することなくトランジスタ３に出力する。差動アンプ６は、第１の入力端子６Ａを＋側入力端子、第２の入力端子６Ｂを−側入力端子としている。基準電圧回路３４は、基準電圧を変更できる回路として、ピーク電流制限回路３０の設定電流を変更できる。
【００２３】
以上のピーク電流制限回路３０は、以下の動作をしてダイオード負荷１０のピーク電流を抑制する。
１．ダイオード負荷１０にピーク電流が流れると、ピーク電流に対応して電流検出器３１の検出電圧が上昇する。
とくに、ピーク電流の立ち上がり時に電流の変化値が大きくなるので、このタイミングでコイル５に誘導される電圧が高くなって、検出電圧は瞬時的に高くなる。
２．瞬時的に上昇した検出電圧はコンパレータ３３である差動アンプ６に設けている第２の入力端子６Ｂに入力される。
３．差動アンプ６は、第２の入力端子６Ｂの電圧を第１の入力端子６Ａの基準電圧に比較し、第２の入力端子６Ｂの電圧が高くなると、出力電圧を−側に変化させる。
４．−側に変化した出力電圧は、トランジスタ３の入力側に入力される。
５．入力電圧が−側に変化したトランジスタ３は、内部抵抗を増加させる。
６．内部抵抗の増加したトランジスタ３は、ダイオード負荷１０の電流を減少して、ピーク電流を抑制する。
【００２４】
ピーク電流制限回路３０は、以上の動作をしてダイオード負荷１０のピーク電流を抑制するが、抵抗器４に直列に接続しているコイル５が、ピーク電流の立ち上がり時に検出電圧を瞬時的に高くして、このタイミングでトランジスタ３の内部抵抗を瞬時的に増加させる。内部抵抗が瞬時的に増加したトランジスタ３は、ダイオード負荷１０に流れるピーク電流を速やかに抑制する。
【００２５】
図３は、電流検出器３１において、コイル５を抵抗器４に直列に接続している検査装置１００におけるダイオード負荷１０に流れる電流特性を示している。図２はコイルを接続しない抵抗器のみの電流検出器を使用する検査装置におけるダイオード負荷に流れる電流波形を示している。図２に示すように、電流検出器においてコイルを接続しない抵抗器のみから従来の検査装置は、ピーク電流が流れる時間幅が約２０ｍｓｅｃと相当に長くなって、発光ダイオードが過電流による障害を受ける。これに対して電流検出器３１においてコイル５を接続している検査装置１００は、図３に示すように、ピーク電流が流れる時間幅が約１００μｓｅｃとなって、約１／２００に短縮され、さらにピーク電流の最大電流も小さくなって、発光ダイオード１の過電流による障害を防止できる。
【００２６】
２．実施形態２
図４は、実施形態２に係る発光ダイオードの検査装置２００のブロック図である。この図の検査装置２００の電流調整回路３２Ａは、電流検出器３１に誘導される電圧を増幅するサブアンプ７を備える。この検査装置２００は、電流検出器３１のジュール熱による発熱を小さくして、電流検出器３１の温度変化による検出誤差を少なくできる特徴がある。サブアンプ７が、電流検出器３１の電圧を増幅してコンパレータ３３に入力するので、電流検出器３１の電気抵抗とインダクタンスを小さくして、電流検出器３１の検出電圧を低くしながら、コンパレータ３３には所定の電圧を入力できるからである。たとえば、サブアンプ７の増幅率を１０倍とすれば、電流検出器３１の電気抵抗とインダクタンスを１／１０として、電流検出器３１のジュール熱による発熱量を１／１０にできる。コンパレータ３３は、入力される基準電圧と検出電圧が小さすぎると、高い精度で電流をコントロールするのが難しくなる。たとえば、抵抗器４の電気抵抗を０．２Ω、と仮定すると、ダイオード負荷１０の電流値を２Ａで検出電圧は０．４Ｖとなって、この電圧がコンパレータ３３に入力される。抵抗器４の電気抵抗を１／１０に低下して、０．０２Ωとして、ジュール熱の発熱量は小さくできるが、コンパレータ３３の入力電圧が０．０４Ｖと低下して、トランジスタ３の内部抵抗を高精度でコントロールするのが難しくなる。電流検出器３１の検出電圧を１０倍に増幅してコンパレータ３３に入力すると、コンパレータ３３の入力電圧は０．４Ｖとなって、電流を高い精度でコントロールできる。
【００２７】
３．実施形態３
図５は、実施形態３に係る発光ダイオードの検査装置３００のブロック図である。この図の検査装置３００の電流調整回路３２Ｂは、コンパレータ３３の出力側とトランジスタの入力側との間にバッファーアンプ８を接続している。バッファーアンプ８は、電圧増幅することなく、コンパレータ３３の出力をインピーダンス変換してトランジスタ３に入力する。この検査装置３００は、バッファーアンプ８でコンパレータ３３の出力インピーダンスを低下してトランジスタ３に入力するので、トランジスタ３の入力容量を速やかに充電する。したがって、コンパレータ３３の出力信号でトランジスタ３の内部抵抗を速やかコントロールして、ピーク電流をさらに効率よく抑制する。
【００２８】
以上、本発明に係るいくつかの実施形態について例示したが、本発明は上述した実施形態に限定されるものではなく、本発明の要旨を逸脱しない限り任意のものとすることができることは言うまでもない。
本明細書の開示内容は、以下の態様を含み得る。
（態様１）
複数の発光ダイオードが直列に接続されたダイオード負荷に一定の電流を流す発光ダイオードの検査装置であって、
ダイオード負荷に接続してなる電源回路と、
ダイオード負荷と直列に接続してなるピーク電流制限回路を備えており、
ピーク電流制限回路が、
ダイオード負荷と直流に接続してなる電流検出器と、
電流検出器の検出電圧でダイオード負荷の電流を制御する電流調整回路とを備え、
電流検出器が、抵抗器とコイルとの直列回路からなることを特徴する発光ダイオードの検査装置。
（態様２）
態様１に記載する発光ダイオードの検査装置であって、
電流調整回路が、
ダイオード負荷及び電流検出器と直列に接続してなるトランジスタと、
トランジスタの入力側に接続してなるコンパレータと、
コンパレータの第１の入力端子に基準電圧を入力する基準電圧回路と、を備え、
電流検出器に誘導される検出電圧がコンパレータの第２の入力端子に入力され、
コンパレータの出力がトランジスタに入力されて、
トランジスタがダイオード負荷の電流を制御するようにしてなる発光ダイオードの検査装置。
（態様３）
態様２に記載する発光ダイオードの検査装置であって、
トランジスタがＦＥＴであることを特徴とする発光ダイオードの検査装置。
（態様４）
態様２または３に記載する発光ダイオードの検査装置であって、
基準電圧回路が、基準電圧を変更できる回路であることを特徴とする発光ダイオードの検査装置。
（態様５）
態様２ないし４のいずれかに記載する発光ダイオードの検査装置であって、
電流検出器に誘導される電圧を増幅するサブアンプを備え、
サブアンプの出力電圧がコンパレータの入力の入力端子に入力されてなることを特徴とする発光ダイオードの検査装置。
（態様６）
態様２ないし５のいずれかに記載する発光ダイオードの検査装置であって、
コンパレータの出力側と前記トランジスタの入力側との間に、コンパレータの出力インピーダンスを低下して出力するバッファーアンプを接続してなることを特徴とする発光ダイオードの検査装置。
（態様７）
態様１ないし６のいずれかに記載する発光ダイオードの検査装置であって、
電源回路が定電流電源であることを特徴とする発光ダイオードの検査装置。
（態様８）
態様１ないし７のいずれかに記載する発光ダイオードの検査装置であって、
電流検出器がインダクタンスのある巻き線抵抗器であることを特徴とする発光ダイオードの検査装置。
（態様９）
態様１ないし８のいずれかに記載する発光ダイオードの検査装置であって、
ダイオード負荷が、複数のレーザーダイオードの直列回路であることを特徴とする発光ダイオードの検査装置。
【産業上の利用可能性】
【００２９】
本開示に係る発光ダイオードの検査装置は、複数の発光ダイオードを直列に接続して検査する際に使用する装置として利用することができる。
【符号の説明】
【００３０】
１００、２００、３００…検査装置
１…発光ダイオード
２…定電流電源
３…トランジスタ
４…抵抗器
５…コイル
６…差動アンプ
６Ａ…第１の入力端子
６Ｂ…第２の入力端子
７…サブアンプ
８…バッファーアンプ
１０…ダイオード負荷
２０…電源回路
３０…ピーク電流制限回路
３１…電流検出器
３２、３２Ａ、３２Ｂ…電流調整回路
３３…コンパレータ
３４…基準電圧回路
【図１】
2020180943.tif 000003
【図２】
2020180943.tif 000004
【図３】
2020180943.tif 000005
【図４】
2020180943.tif 000006
【図５】
2020180943.tif 000007